(57)【要約】フリーＷＩＦＩサービスと共に多様な情報を提供するシステムであって、多数個のルーターを管理し、ルーターを通じてＷＩＦＩに接続するユーザ端末にフリーＷＩＦＩサービスを提供し、また、広告と情報とを提供するシステムサーバ１１と、前記システムサーバに広告を提供する広告主サーバ１２と、前記システムサーバに情報を提供する情報提供サーバ１３とを含む。【選択図】図６
2016529623.tif 000002
【特許請求の範囲】
【請求項１】
フリーＷＩＦＩサービスと共に多様な情報を提供するシステムであって、
多数個のルーターを管理し、ルーターを通じてＷＩＦＩに接続するユーザ端末にフリーＷＩＦＩサービスを提供し、また、広告と情報とを提供するシステムサーバ１１と、
前記システムサーバに広告を提供する広告主サーバ１２と、
前記システムサーバに情報を提供する情報提供サーバ１３と、を含み、
ユーザーはログインなしに提供される最初のメインページから広告と情報の提供を受信する
ことを特徴とするフリーＷＩＦＩサービスと共に多様な情報を提供するシステム。
【請求項２】
前記システムサーバは、ユーザ端末に提供する広告と情報との提供比率を調節する広告比率モジュール３１を含む
請求項１に記載のフリーＷＩＦＩサービスと共に多様な情報を提供するシステム。
【請求項３】
前記システムサーバは、ルーターが設けられた位置情報を含む位置ＤＢを更に含み、ルーターの位置に応じて情報と広告との提供比率を調節し、
時間及び状況に応じて広告と情報との提供比率を格納したスケジュールＤＢを含む
請求項２に記載のフリーＷＩＦＩサービスと共に多様な情報を提供するシステム。
【請求項４】
前記システムサーバは、視聴内訳ＤＢを更に含み、ユーザが視聴すべき広告あるいは広告視聴時間を格納する
請求項３に記載のフリーＷＩＦＩサービスと共に多様な情報を提供するシステム。
【請求項５】
前記システムサーバは、ルーターの位置、時間、状況に応じて情報と広告との提供順序を変更する
請求項４に記載のフリーＷＩＦＩサービスと共に多様な情報を提供するシステム。
【請求項６】
前記広告比率モジュールは、提供される広告ページ内で公益広告とコマーシャル広告が占める面積を調節する
請求項５に記載のフリーＷＩＦＩサービスと共に多様な情報を提供するシステム。
【請求項７】
広告はウェブページプッシュ形態と再生可能なメディア形態とのうち何れか一つである
請求項６に記載のフリーＷＩＦＩサービスと共に多様な情報を提供するシステム。
【請求項８】
前記広告比率モジュールは、緊急な災害や事故が発生した際、災難関連情報を広告ページに載せる
請求項７に記載のフリーＷＩＦＩサービスと共に多様な情報を提供するシステム。
【発明の詳細な説明】
【技術分野】
【０００１】
本発明は、フリーＷＩＦＩサービスと共に、多様な情報を提供するシステムに関する。
【背景技術】
【０００２】
本発明は、フリーＷＩＦＩサービスと共に、多様な情報を提供するシステムに関し、トラフィックや流動人口の多い地域を選び、多数のＷＩＦＩルーターを設け、大きなＷＩＦＩホットスポットを構成してＷＩＦＩ広告板として活用し、不特定多数のモバイルデバイスユーザにフリーＷＩＦＩサービスを提供し、フリーＷＩＦＩサービスと共に、メインページに多様なコンテンツ、公共情報（交通、地域、ツアー情報等）と共に、広告を露出させるような発明に関する。
【０００３】
ＷＩＦＩは、ＷＩＦＩアライアンス（Ｗｉ−Ｆｉ  Ａｌｌｉａｎｃｅ）の商標名であって、ＩＥＥＥ８０２．１１ベースの無線ＬＡＮの連結と装置間の連結（ＷＩＦＩ  Ｐ２Ｐ）、ＰＡＮ／ＬＡＮ／ＷＡＮの構成等を支援する一連の技術を意味し、最初のＷＩＦＩは、事実上、ＩＥＥＥ８０２．１１と同義語として使用されたが、現在のＷＩＦＩは、８０２．１１ベースの多くのソフトウェア技術を含み、８０２．１１で支援されるが、ＷＩＦＩでは使われていない技術にも使用されている。
【０００４】
ＷＩＦＩ通信は、基本的に、インターネットにデータを伝達するような機能をするＡＰ（アクセスポイント）と、ノートパソコンやスマートフォンのようにユーザがサービスを受信する端末間の通信として、ＷＩＦＩを用いるためには、端末に連結するためのハードウェア（無線ＬＡＮカード）が必要であり、運営体制において当該無線ＬＡＮカードを認識できる装置ドライバが設けられるべきである。スマートフォンやノートパソコン等の移動が頻繁に行われる端末には基本的に搭載されており、ユーザは特別な設定なしにＷＩＦＩを使用でき、デスクトップユーザも簡単に設けて使用できる。最近、無線でインターネットや相互間の通信が可能であるという利点があるため、ゲーム機、プリンター、ＴＶ等の多様な周辺機器にもＷＩＦＩを支援する端末が増えている。ＷＩＦＩで使用されている周波数は研究用として開発されたものであるが、最近は、ＷＩＦＩを用いる個人の有無線共有機及び通信事業者が提供するＷＩＦＩ等のＷＩＦＩサービスがあるが、ユーザに制限を設けてパスワードをかけておくことが多く、個人ユーザが容易に使用できるようなＷＩＦＩは殆どない実情である。
【０００５】
通信社から提供するＷＩＦＩ信号は、モバイル通信社への加入会員のみに提供することが多く、個人のＷＩＦＩ信号にはパスワードが設定されており、一部のパスワードを知っている人のみに提供されることが多いが、これは多くのＷＩＦＩ信号が検索されても実際に使用できるＷＩＦＩ信号は多くないのが現実なので、ＷＩＦＩを用いるよりは移動通信のデータサービスを用いることが多い。
【０００６】
しかし、移動通信のデータサービスの費用は相対的に高価なので、経済的に負担が大きく、移動通信サービスはデータ用として開発されたものではないため、データサービスにも適していない。
【０００７】
これと関連して、特許文献１の「ＷＩＦＩ広報板及びＷＩＦＩ広報板のための広告方法」は、内部に空間を有するハウジング、ハウジングを覆うカバー、ハウジング内に嵌め込まれ、カバーで固定されるアクセス装置、ハウジング内に嵌め込まれ、アクセスポイント装置のアンテナを固定させる固定部を含み、広告のための広報板内にＡＰを設け、広報の目的として使用されるようにしている。しかし、このような広報板は、広告板内にＡＰを設けて外部からＷＩＦＩに接続する際に、他の場合より接続の強度が向上されることはできるが、依然として売り場を用いる人やパスワードを知っている人のみが利用可能であるという点では変わりがなく、ＷＩＦＩ通信サービスを提供する他には別の機能を有していないことが現実である。
【０００８】
また、以前には、公共情報の場合、別途の書籍、パンフレットを発行するか、ラジオ、ＴＶ等の広告時間に公益広告の形式に編成したり、災害等の場合、緊急ニュースを編成する方式で公共情報を配布するか、短文メッセージ（ＳＭＳ）を用いて緊急災難文字として転送することが多かった。
【０００９】
しかし、これに関連して、具体的な情報を調べようとする場合、ポータルのような検索サービスから再検索した後に接続しなければならないので複雑であり、スマートフォンのようにＷＩＦＩを使用している機器を用いて公共情報を提供する方法はなかった。
【先行技術文献】
【特許文献】
【００１０】
【特許文献１】大韓民国公開特許公報第１０−２０１３−０００３８７２号
【発明の概要】
【発明が解決しようとする課題】
【００１１】
本発明は、上記のような問題点を解決するために案出されたものであって、人口が密集している場所でＷＩＦＩサービスと共に、企業が企業広告をするか、公共情報を提供できる空間を提供し、有事の時には緊急お知らせサービスを提供するための空間として利用可能なシステムを提供することを目的とする。
【課題を解決するための手段】
【００１２】
上記のような目的を達成するために、フリーＷＩＦＩサービスと共に、多様な情報を提供するシステムを提供するところ、前記システムは、多数個のルーターを管理し、ルーターを通じてＷＩＦＩに接続するユーザ端末にフリーＷＩＦＩサービスを提供し、また、広告と情報を提供するシステムサーバ１１と、前記システムサーバに広告を提供する広告主サーバ１２と、前記システムサーバに情報を提供する情報提供サーバ１３と、を含むことができる。
【００１３】
広告はウェブページプッシュ形態と再生可能なメディア形態とのうち、何れか一つである。
【００１４】
前記システムサーバは、ユーザ端末に提供される広告と情報提供との比率を調節する広告比率モジュール３１を更に含むことができる。
【００１５】
前記システムサーバは、ルーターが設けられた位置情報を含む位置ＤＢを更に含み、ルーターの位置に応じて情報と広告との提供比率を調節しながら、時間、状況に応じて広告と情報との提供比率を格納したスケジュールＤＢを含むことができる。
【００１６】
前記システムサーバは、視聴内訳ＤＢを更に含み、ユーザが視聴すべき広告または広告視聴時間を格納することができる。
【００１７】
前記システムサーバは、ルーターの位置に応じて情報を先に提供し、広告を提供するものである。
【発明の効果】
【００１８】
本発明は、人口が密集されている場所で、ＷＩＦＩサービスと共に、企業の企業広告ができる空間を作り、有事の時には緊急お知らせサービスのための空間として利用可能なシステムを提供する効果を有する。
【図面の簡単な説明】
【００１９】
【図１】本発明に係る一実施例を示す説明図
【図２】本発明に係る一実施例を示す説明図
【図３】本発明に係る一実施例を示す説明図
【図４】本発明に係る一実施例を示す説明図
【図５】本発明に係る一実施例を示す説明図
【図６】本発明に係る一実施例を示す説明図
【図７】本発明に係る一実施例を示す説明図
【発明を実施するための最良の形態】
【００２０】
以下、添付の図面を参照しながら、本発明について詳細に説明する。図１ないし図６は、本発明に係るサービスの概念を簡単に示す図である。本発明では、公共に何れかの情報を提供するか、コマーシャル広告を提供しようとする企業がシステムサーバを通じてＷＩＦＩ連結サービスを提供することで広告を提供するようになる。多数の端末ユーザは、ＷＩＦＩサービスを用いる代わりに広告を視聴するようになる。このために、システムサーバ１１には広告主サーバと情報提供者サーバが連結される。
【００２１】
図１において、システムサーバ１１は、広告主サーバ１２と情報提供サーバ１３から広告と情報の提供を受けながら、ルーターを通じてＷＩＦＩサービスを利用しようとするユーザ端末１４に広告と情報を提供しながら、ユーザ端末１４にはＷＩＦＩを通じたインターネット接続が可能になるようにする。
【００２２】
図２は、企業と公共機関がユーザ端末に広告と情報を提供する形態を概念化した図である。
【００２３】
図３は、個人ユーザが有しているモバイルデバイスと広告主サーバが、本発明に係るシステムサーバのＷＩＦＩルーターにより広告とＷＩＦＩサービスによって連結される形態を示す。
【００２４】
図４は、本発明に係るＷＩＦＩシステムサーバにおいて、多様な場所に設けられたルーターを通じてサービスを受信する形態を示す。ＷＩＦＩルーターは、流動人口が密集されている地域を中心として設けられると共に、電車、バス停、中心商店街等に設けられ得る。
【００２５】
図５は、ユーザの端末から広告を一定時間に亘って露出させた後、定められた時間の間、ＷＩＦＩサービスを用いる例を示す。ユーザの端末から広告条件が付着されたＷＩＦＩを検索することが見られる。
【００２６】
このような発明を通じて、広告主は、多数の多様な空間に設けられたＷＩＦＩルーター施設を使用して不特定多数にコマーシャル広告を露出させる機会を有するようになり、ユーザは、インターネットに無料で接続できる機会の提供を受けるようになる。現在、インターネットＷＩＦＩは、技術的に不特定多数に無料にての使用を提供することが可能であり、例えば、アップル社の建物内では無料ＷＩＦＩが提供され、スターバックスのようなフランチャイズのコーヒーショップでも、消費者が無料のインターネットＷＩＦＩを使用できるように提供されている。しかし、ルーターを設置するのに費用がかかり、インターネット回線を用いるにも費用がかかるため、ルーターを設置する事業者は自分の顧客のみにこのようなＷＩＦＩサービスを提供している。
【００２７】
しかし、本発明において、システムサーバ１１は、消費者または多くの観光客が集まる特定の場所（ＨＯＴ  ＳＰＯＴ）毎に制限範囲を選定してＷＩＦＩルーターを設け、彼らに必要な情報及びコマーシャル広告をＷＩＦＩサービスを通じて提供する。
【００２８】
大都市のメーンロード及びメーンロードに位置している全てのバス停、電車駅、及び公共建物にＷＩＦＩルーターを設け、停留場ではバス路線を、電車駅では電車路線を、さらに公共建物では国家や各機関で施行しているイベント及び情報を公衆に提供することができる。また、システムサーバは、インターネット広告のＡｇｅｎｔであって、プッシュ戦略を使用して、ホットスポットでＷＩＦＩを使用する全ての人に、最初の画面に広告主サーバが指定するカテゴリを接するようにして、事業者に広告が可能な新しいルートを作ってくれる。特に、バス停や電話ブースのように、既存に設けられていると共に、通信線を連結し易い部分に、本発明に係るホットスポットを設けるようになれば、多くの費用をかけなくても流動人口の多い地域にホットスポットを設置することが可能になる。
【００２９】
図６は、このようなホットスポットを提供するための具体的な構成を示す。本発明に係るシステムサーバは、それぞれのルーターが設けられるホットスポットの位置を含む位置ＤＢ２１と、実際に提供される情報の内容を含む情報ＤＢ２２、及び広告の内容を含む広告ＤＢ２３を含むことができる。また、ユーザに提供される情報及び広告の比率は、広告比率モジュール３１が決定するようになる。また、加入されているユーザの情報を含むユーザＤＢと、ユーザ別の広告視聴記録を含む視聴内訳ＤＢ２６と、を含むことができる。
【００３０】
ユーザが特定のホットスポットの範囲に入るようになる場合、ホットスポットのＷＩＦＩサービスを選択すれば、システムサーバは予め格納されている広告ページをユーザに転送する。この際、広告ページを転送する前に、ユーザに広告ページを見る代わりに、ＷＩＦＩサービスを無料で利用可能であるということを知らせ、広告ページを見る代わりに、ＷＩＦＩサービスを用いるか否かを聞いてみて、同意を受けることができる。前記広告ページは、公共情報を提供するページに代替され得る。
【００３１】
また、広告は、動画のように再生可能な形態で提供されることもでき、特定の広告ページを転送する形態でも提供され得る。また、広告ページの転送と共に、該当ホットスポットに特化されている情報を、該当ページをプッシュする形態で提供することができる。例えば、バス停ならば、バス路線、バス到着時間等に関する情報を提供し、観光地ならば、観光地図、グルメ、交通案内等の情報を提供することができる。このような情報は、各種の地方自治体や企業が個人に提供しようとしても、提供可能な経路が殆どないため、ウェブページを作り、ウェブページにユーザが接続することを受動的に待つしかないが、本発明による場合には、能動的に訪問者及びユーザに提供可能になる。
【００３２】
また、ユーザが特定のホットスポットの範囲に入るようになる場合、該当ホットスポットがどのような種類のホットスポットであるかによって、提供される広告及び情報の比率が異なるようになり、優先的に提供される情報が異なり得る。例えば、当該ホットスポットがバス停ならば、当該バス停の周囲にいる人はバスに関する情報を最も優先視する可能性が大きいところ、ホットスポットに接続されるやいなや、広告を見てからバス到着情報を得ることができるとしたら、多くの人が不便を感じるようになるだろう。この場合、該当広告映像をユーザのモバイルに格納しておいてから再生させることができ、あるいは広告を見るべき時間を約定して、その後に広告を見るようにすることができる。
【００３３】
つまり、ユーザが広告を視聴すべき時間をユーザのＤＢ内の視聴内訳ＤＢに格納しておき、情報ＤＢに格納されている情報への接続が終わった後に視聴ができるようにするところ、この場合、真夜中のような時間に広告の視聴ができないように、広告再生時間を予め定めて特定時間のみに義務的に広告が再生されるようにすることができる。また、どんな時間でもユーザが広告ＤＢのコマーシャルを予め視聴することになれば、他のホットスポットで、広告視聴に該当するだけの時間の間にＷＩＦＩサービスを利用可能にすることができる。
【００３４】
予め広告を視聴するのは、必ずしも該当ホットスポットにいる間ではなくても、後で視聴することも可能であり、指定された条件（時間、場所）がある場合、該当条件のみを満足させれば良い。つまり、予め広告を視聴するか、後で視聴するようにすることができるが、これは義務的なものではなく、最初のページで広告を強制的に見るようにするか、最初のページの一部にバナーやバンド広告を形成して２次ページへのクリックを誘導する形態と共に、あるいは代替されて使用され得る。
【００３５】
また、公益広告と共に使用されることもでき、公益広告とコマーシャル広告が同じページで使用する面積はシステムサーバによって調節されるようにすることができる。
【００３６】
最近は、スマートフォンの画面サイズも大きくなっており、タブレットＰＣも多く使われているため、画面の面積を分配して公益広告とコマーシャル広告とを並行するようにすることができる。
【００３７】
また、大雨が降ったり、突然の爆雪が降る場合のような緊急状況では、広告よりは情報提供の比率を高めることができ、この場合には、ＷＩＦＩへの接続のために通るべきページで直ぐに進行されるようにする。広告比率モジュール３１は、ホットスポットの位置、周囲の状況、時間等を考慮して毎時間提供される情報と広告との比率を調節することができる。
【００３８】
火災、地震、爆雨、爆暑、酷暑、酷寒の場合、本発明に係るシステムは、ＷＩＦＩ提供サービスに提供する人に、災害等に関する緊急情報を提供することで被害が大きくなるのを防ぐことができ、広告比率モジュール３１は、情報の緊急性を判断して、情報の提供順序、提供時間等を調節するようになる。
【００３９】
このため、予想可能な状況に対するスケジュールＤＢを含むようにして、平時時、緊急時の広告と情報の提供量、順序を予め格納しておく。緊急時の判断は、関係当局で大雨警報、台風警報、大雪警報の発令のような公式的な状況設定情報を受信したり、温度、降水量、降雪量、風速等のような測定可能な情報を基礎とすることができる。また、週中、週末、休暇期間等に応じてスケジュールが変わるようにすることができる。
【００４０】
バス停の近くに設けられたルーターには、平時時（週中、通勤時間）にはバス情報案内を中心として情報を送り、広告は後で聴取するようにし、通勤時間を除いた昼の時間には広告と情報との比率を同様にすることができ、雨がたくさん降るような場合には気象情報の提供を中心とすることができる。
【００４１】
また、公衆電話は、携帯電話の普及が増えることによって使用が減っており、使用量も多くないが、現在も多くの公衆電話ブースが設けられている。しかし、公衆電話ブースのような場合は、通信設備が設けられており、特別な工事を行わなくても簡単にルーターを設置するのが可能なので、単に公衆電話を設けるための場所以外にも、本発明によれば、ＷＩＦＩサービスを提供しながら情報を提供する手段となるようにすることができる。
【００４２】
また、同じルーターを通じて接続しているユーザは、近距離にいるユーザなので、様々な形態での使用が可能である。つまり、同じルーターに接続しているユーザの相互間のコミュニケーションができるようにし、情報のやり取りができるようにすれば、遊園地、公園等に家族同士で遊んできて、混雑のため互いに探すことができない状態の場合、またはその場所で待ち合わせして会わなければならない等の場合に有用に使用され得る。人があまりにも多く集まると、基地局の容量が超過してしまい、電話が不通となり、文字サービスが提供されないことも発生し得るが（例えば、１２月３１日の中心街）、このようなＷＩＦＩサービスを利用すれば、通信需要を分散させることもできるようになる。
【００４３】
また、ホットスポットの近くにいるショップのオーナーは、自分の識別ＩＤを広告手段として使用して（例えば、同じネットワークに接続している機器を表示するために使用される名前、作業グループ内のコンピューター名等）、ホットスポットに接続しているユーザにリアルタイムでセール情報や広告を載せることができ、これを必要とするユーザが多ければ、別途の広告ボードを作ることもできるようになる。
【００４４】
また、広告比率モジュール３１は、観光地、停留場のようにユーザが多くの情報を必要とする場所は情報ＤＢの情報提供を優先とし、その他の様々な理由で人がたくさん集まる場所は広告が提供される比率をさらに高くすることができる。例えば、停留場のような場所なら、必要とされる広告視聴時間や広告視聴個数を減ったり、広告視聴時間を見送ったり、情報提供時間を更に前に置くことができる。
【００４５】
広告比率モジュール３１は、広告の種類別に放送時間を配分するだけでなく、同じページ内で広告が見られる面積を配分することができる。
【００４６】
また、広告比率モジュール３１は、スマートフォン加入者の情報を受信して、スマートフォン加入者の年齢、性別、職業、関心事等の加入情報に応じて提供される広告の種類を広告ＤＢから選別して提供することができる。つまり、無作為の広告提供ではなく、ユーザに合った広告を提供することができ、これは、ＷＩＦＩを提供することでユーザのスマートフォンから当該情報を受信し取るようにすることができる。
【００４７】
それぞれのスポットは、統合された一つの広告板としても使用可能であり、スポットがあるそれぞれの地域の特性に合った広告板としてもそれぞれ使用可能である。ＷＩＦＩルーターが設けられている場所はそれぞれのホットスポットとなるところ、特定の地域の観光名所、百貨店、バス停、ショッピングモール、駅周辺等の多くの人が集まる場所をスポット（Ｓｐｏｔ）と称し、各スポットに合う必要情報及びコマーシャル広告を提供する。
【００４８】
また、各地域団体及び公共機関で特定の目的で伝えようとする必須情報、特定のイベント、またはキャンペーンを一定の地域範囲内で必要な情報を提供可能であり、企業はコマーシャル広告も提供可能である。観光名所のような場合、観光客はインフォメーションセンターへ直接に訪れなくても、スポットが提供される場所に行けば、彼らが訪れる名所の周辺情報（グルメ、写真が綺麗に取れるポイント、準備物品等）、またはバス路線等の情報の提供を受けることができる。バス停から提供可能な基本情報は、当該バスがいつ到着し、目的地までどれ程所要されるか、あるいは移動経路がどのようになるかに対する情報が必要になるわけであり、デパートの場合、発売中であるか、発売計画のあるイベントを広告することができ、消費者はどのようなイベントがあるか一度に確認可能である。このような例から分かるように、本発明は、全てのＷＩＦＩユーザ、情報提供者、広告提供者に利益を与えることができる。
【００４９】
以前は、公共情報の場合、別途の書籍やパンフレットを発行したり、ラジオ、ＴＶ等の広告時間に公益広告の形式に編成したり、災害等の場合、緊急ニュースを編成する方式で公共情報を配布するか、短文メッセージ（ＳＭＳ）を用いて緊急災難文字として送る場合が多かった。しかし、具体的な情報を調べようとする場合は、ポータルで再検索した後に接続しなければならないため複雑であり、特に、スマートフォンのようにＷＩＦＩを使用する機器を用いた公共情報案内の方法はなかった。しかし、最近は、大半がスマートフォンを有しているので、緊急状況でもスマートフォンをつけてＷＩＦＩを連結すれば災害情報等が直ぐに受信され、ホットスポットは流動人口の多い施設を中心として設けられるため、多くの人に緊急な情報を即時知らせることができるようになる。
【００５０】
また、一部の道路で工事を施していたり、事故が発生した場合に、バス停の近くで工事、事故によって交通が渋滞される場合、スマートフォンをつけることだけでも、このような工事や事故の事実が把握できるようになる。しかし、従来には、このような情報はＴＰＥＧ等のようなサービスに加入しなければならなかったが、本発明による場合、このような情報はＷＩＦＩに接続さえすれば直ぐに利用できるようになる。
【００５１】
また、平時には緊急ではなくても必ず必要な公共情報を提供する手段として活用することができ、公共情報とコマーシャル広告との比率を調節できるようにして、緊急な瞬間に備えるようにすることができる。
【００５２】
図７は、更に他の実施例を示す。図７において、バス停に設けられたルーターは情報提供サーバからバス案内情報、事故情報、交通情報、施政案内、気象案内等の情報を受信しながら、突然に暴雨が降る場合、緊急案内情報に属する緊急爆雨情報等を受信することができる。また、Ａ、Ｂ、Ｃ社等からの広告を受信することができる。
【００５３】
このように受信した情報は、ルーターがＷＩＦＩ情報を提供しながら、広告比率モジュールで調節された形態の通りに、順序、面積、時間等を考慮して、各個人の端末に転送され得る。また、バス停を通り過ぎる車両を用いる場合にも、このような情報を受信することで利用することができる。車両を用いる場合には、映像広告よりはオーディオファイルで製作された広告の受信が可能であり、ユーザＤＢに情報を用いるために必要な広告視聴時間を格納し、ユーザがその時間を全部満たした場合、一定時間の間（例えば、１日、１週間）広告を視聴せずに情報のみを受信することもできる。車両を用いる場合、交通が渋滞しなければ、ルーターから遠ざかると信号が絶えるようになって、使用する必要がなくなる恐れもあるが、突然に交通が渋滞してしまう場合、一定の地域に長く留まるようになって、突然の交通渋滞がなぜ発生するか、ルーターを通じて直ちに情報を受信することができる。このため、車両を用いているという情報をシステムサーバに別途転送することができる。
【符号の説明】
【００５４】
１１  システムサーバ
１２  広告主サーバ
１３  情報提供サーバ
１４  ユーザ端末
３１  広告比率モジュール
【図１】
2016529623.tif 000003
【図２】
2016529623.tif 000004
【図３】
2016529623.tif 000005
【図４】
2016529623.tif 000006
【図５】
2016529623.tif 000007
【図６】
2016529623.tif 000008
【図７】
2016529623.tif 000009
【国際調査報告】
2016529623.tif 000010
2016529623.tif 000011
2016529623.tif 000012
2016529623.tif 000013